(57)【要約】【課題】消費電力の削減を図りつつ、表示部に表示される内容と、主に操作キーの表示に用いられる第２の表示部に表示される内容とを視認可能に表示させる。【解決手段】表示部と、第２の表示部とのそれぞれに表示がされている際に動作を開始し（ステップＳ１０１）、所定時間に渡って、イベントが発生しない、即ち、タイムアウトが発生した場合（ステップＳ１０２の「ＹＥＳ」）、表示部及び第２の表示部のいずれか一方に、両方にされていた表示内容を合成した内容を表示させる（ステップＳ１０３）。【選択図】図４
2010198065.tif 000002
【特許請求の範囲】
【請求項１】
表示手段と、
タッチパネルと、
前記タッチパネルを介した入力が所定の時間に渡って行われない場合、前記表示手段に表示されていた画像と、前記タッチパネルに表示されていた画像とを合成し、その合成された画像を前記表示手段及び前記タッチパネルのいずれか一方に表示し、他方を消灯する消費電力削減手段と
を有することを特徴とする情報処理装置。
【請求項２】
前記消費電力削減手段は、前記合成された画像を前記表示手段に表示する際、前記表示手段に表示されていた画像に、前記タッチパネルに表示されていた画像を変形して加えることによって合成し、
前記合成された画像を前記タッチパネルに表示する際、前記タッチパネルに表示されていた画像に、前記表示手段に表示されていた画像を変形して加えることによって合成する
ことを特徴とする請求項１に記載の情報処理装置。
【請求項３】
前記変形とは、色を薄くすること、及び／又は、異なる色とすることである
ことを特徴とする請求項２に記載の情報処理装置。
【請求項４】
前記表示手段と、前記タッチパネルとは隣接して設置され、
前記表示手段の前記タッチパネルに近い部分には機能識別情報が表示され、
前記タッチパネルの前記表示手段に近い部分には、前記機能識別情報と対応付けてソフトキーが表示され、
前記消費電力削減手段は、前記合成された画像を前記表示手段に表示する際、前記タッチパネルに表示されていた前記ソフトキー画像を除いて合成し、前記合成された画像を前記タッチパネルに表示する際、前記表示手段に表示されていた前記機能識別情報画像を除いて合成する
ことを特徴とする請求項１に記載の情報処理装置。
【請求項５】
前記消費電力削減手段は、前記合成された画像を表示することと、前記表示手段に表示されていた画像を表示することと、前記タッチパネルに表示されていた画像を表示することとを繰り返す
ことを特徴とする請求項１に記載の情報処理装置。
【発明の詳細な説明】
【技術分野】
【０００１】
本発明は、情報処理装置に係り、特に、表示に用いられる電力の削減と、理解が容易な表示とに関する。
【背景技術】
【０００２】
電池に蓄えられた電力で動作する、表示部と、キーボードとを有する移動通信装置などの情報処理装置で、例えば、所定の時間に渡ってキー操作が行われない場合、表示部が消灯され、また、キーのバックライトが消灯されることによって、消費電力を削減する処理が知られている。表示部がバックライト付きのＬＣＤ（Liquid Crystal Display）などの場合、表示部の消灯は、バックライトの消灯にあたることもある。
【０００３】
ここで、キーボードに代えて、タッチパネル式のＬＣＤなどを有する場合、キーのバックライトの消灯は、通常タッチパネル式のＬＣＤのバックライトの消灯に対応する。しかしながら、そのバックライトの消灯によると、タッチパネルのどの位置にどの機能の入力が割り当てられているかが視認不可能となる。
【０００４】
そこで、所定の時間に渡ってキー操作が行われず、タッチパネル式のＬＣＤのバックライトが消灯されている場合、使用者によって所定のボタンの操作がされると、そのＬＣＤの一部を照射するライトのみを点灯して集約画面を視認可能とする処理が知られている（例えば、特許文献１参照。）。
【先行技術文献】
【特許文献】
【０００５】
【特許文献１】特開２００７−６５０５０号公報（第２、７頁、図１、図４、図５）
【発明の概要】
【発明が解決しようとする課題】
【０００６】
しかしながら、上述した特許文献１に開示されている方法では、集約画面が視認可能となるだけであり、表示部による消費電力の削減と、表示部に表示されるべき内容を視認可能とすることの両立が不可能である問題点があった。
【０００７】
本発明は上記問題点を解決するためになされたもので、消費電力の削減を図りつつ、表示部に表示される内容と、主に操作キーの表示に用いられる第２の表示部に表示される内容とを視認可能に表示させる情報処理装置を提供することを目的とする。
【課題を解決するための手段】
【０００８】
上記目的を達成するために、本発明の情報処理装置は、表示手段と、タッチパネルと、前記タッチパネルを介した入力が所定の時間に渡って行われない場合、前記表示手段に表示されていた画像と、前記タッチパネルに表示されていた画像とを合成し、その合成された画像を前記表示手段及び前記タッチパネルのいずれか一方に表示し、他方を消灯する消費電力削減手段とを有することを特徴とする。
【発明の効果】
【０００９】
本発明によれば、消費電力の削減を図りつつ、表示部に表示される内容と、主に操作キーの表示に用いられる第２の表示部に表示される内容とを視認可能に表示させることができる。
【図面の簡単な説明】
【００１０】
【図１】本発明の第１の実施形態に係る移動通信装置の構成を示すブロック図。
【図２】本発明の第１の実施形態に係る移動通信装置の正面の外観を示す図。
【図３】本発明の第１の実施形態に係る移動通信装置の正面の外観を示す図（音楽プレイヤが動作中の場合。）。
【図４】本発明の第１の実施形態に係る消費電力削減機能の消費電力削減の制御動作のフローチャート（その１）。
【図５】本発明の第１の実施形態に係る操作用パネルに表示がされている一例を示す図。
【図６】本発明の第１の実施形態に係る表示用パネルに表示がされている一例を示す図。
【図７】本発明の第１の実施形態に係る消費電力削減機能の消費電力削減の制御動作のフローチャート（その２）。
【図８】本発明の第１の実施形態に係る表示の状態の遷移図。
【図９】本発明の第２の実施形態に係る移動通信装置の構成を示すブロック図。
【図１０】本発明の第２の実施形態に係る移動通信装置の正面の外観を示す図。
【図１１】本発明の第２の実施形態に係る操作用ボタン型パネルに表示がされている一例を示す図。
【図１２】本発明の第２の実施形態に係る表示用パネルに表示がされている一例を示す図。
【発明を実施するための形態】
【００１１】
以下に、本発明の実施形態に係わる情報処理装置の実施の形態を、図面を参照して説明する。
【００１２】
（第１の実施形態）
図１は、本発明の第１の実施形態に係わる情報処理装置が適用された移動通信装置の構成を示すブロック図である。この移動通信装置は、装置全体の制御を行う制御部１１と、移動通信網に属する基地局（図示せず）との間で電波の送受信を行うアンテナ１２ａと、移動通信網通信部１２ｂと、移動通信網送受信部１３と、通話用のスピーカ１４ａと、通話用のマイクロフォン１４ｂと、通話部１４ｃと、利用者へ情報の提示を行う表示用パネル１５と、使用者へ操作選択肢を提示すると共に、使用者からの操作指示を入力する操作用パネル１６と、第１のアプリケーション部２１と、第２のアプリケーション部２２と、…、第ｎのアプリケーション部２ｎとを備えている。
【００１３】
ここで、表示用パネル１５は、例えば、バックライト付きのＬＣＤである。操作用パネル１６は、例えば、バックライト付きのＬＣＤに静電容量方式のタッチパッドを組み合わせたタッチパネルであり、指又はスタイラスペンがタッチパッドに接触したことを検出して操作指示を入力する。また、接触に限ることはなく、指又はスタイラスペンと、タッチパッドとの間の距離が所定の閾値以下となったことを検出して操作指示を入力しても良い。
【００１４】
なお、第１のアプリケーション部２１と、第２のアプリケーション部２２と、…、第ｎのアプリケーション部２ｎとには、例えば、待ち受け状態における動作を制御する待ち受け制御部や、移動通信網通信部１２ｂと、移動通信網送受信部１３と、通話部１４ｃとによる通話を制御する通話制御部や、電子メールを送受信する電子メール送受信部や、所定の時刻に到達すると報知するアラーム部などが含まれるが、本発明の実施の際、いずれのアプリケーション部が動作中であるかに依存しない。そこで、以後、これらのアプリケーション部の中の１つを、第ｉのアプリケーション部２ｉと称する。
【００１５】
制御部１１は、ＯＳの機能を備えている。また、プログラムを実行することで実現される本発明に関する機能として、制御部１１には、消費電力削減機能１１−１が存在している。
【００１６】
移動通信装置の各部の動作を、図１を参照して説明する。消費電力削減機能１１−１は、表示用パネル１５によって消費される電力、及び、操作用パネル１６によって消費される電力を削減すべく、所定の場合、それらの一方、又は、両方のバックライトを消灯する。一方のバックライトが消灯されている場合、両方に表示される内容を、バックライトが点灯されたパネルに視認可能に表示させる。
【００１７】
移動通信網通信部１２ｂは、アンテナ１２ａを介して受信した高周波信号を移動通信網送受信部１３に送信する。また、移動通信網送受信部１３から出力される高周波信号をアンテナ１２ａに送信する。
【００１８】
移動通信網送受信部１３は、移動通信網通信部１２ｂからの高周波信号を増幅、周波数変換及び復調し、それによって得たデジタル音声信号を通話部１４ｃに送信し、また、着信信号を含む制御信号を制御部１１に送信する。更には、通話部１４ｃから出力されるデジタル音声信号と、制御部１１から出力される発信信号を含む制御信号を変調、周波数変換及び増幅し、高周波信号を得て、それを移動通信網通信部１２ｂに送信する。
【００１９】
通話部１４ｃは、移動通信網送受信部１３から出力されるデジタル音声信号をアナログ音声信号に変換し、それを増幅してスピーカ１４ａに送る。また、マイクロフォン１４ｂが出力するアナログ音声信号を増幅し、それをデジタル音声信号に変換して移動通信網送受信部１３へ送信する。
【００２０】
表示用パネル１５は、制御部１１より起動されることにより、使用者に操作を促す表示や、使用者が操作した内容の表示や、第ｉのアプリケーション部２ｉの動作結果の表示などの表示動作を行う。表示用パネル１５は、バックライトが消灯されている場合、たとえ、表示動作をしていたとしても、何ら視認可能な表示は行われない。
【００２１】
操作用パネル１６は、制御部１１より起動されることにより、制御部１１、又は、第ｉのアプリケーション部２ｉの要求に基づいて所定の画像を含む内容を表示する。そして、指又はスタイラスペンがタッチパッドに接触したことを検出した場合、その接触された位置を識別する情報を制御部１１へ通知する。ここで、位置を識別する情報とは、操作用パネル１６の座標であり、また、上記要求に伴われた操作用パネル１６の範囲を識別する情報の中の、いずれかの範囲を示す情報である。操作用パネル１６は、バックライトが消灯されている場合、たとえ、表示動作をしていたとしても、何ら視認可能な表示は行われない。
【００２２】
ここで、表示用パネル１５に表示される内容、及び、操作用パネル１６に表示される内容の一例を説明する。図２は、本発明の実施形態に係わる移動通信装置の正面の外観を示す。移動通信装置の正面の略上半分には、表示用パネル１５が設置され、略下半分には、操作用パネル１６が設置されている。これらのパネルは、略同じ大きさである。
【００２３】
図２は、動作中の第ｉのアプリケーション部２ｉによって、表示動作がされ、これらのパネルのバックライトが点灯されている際の表示の一例である。即ち、表示用パネル１５の略中央には主画像表示１５ａが表示されている。更に、下部（操作用パネル１６に近い部分。）左には「機能Ａ」なる第１の機能表示１５ｂが、下部中央には「機能Ｂ」なる第２の機能表示１５ｃが、下部右には「機能Ｃ」なる第３の機能表示１５ｄが表示されている。
【００２４】
操作用パネル１６の略中央には「１」〜「９」、「０」、「＊」及び「＃」の１２個の文字からなるテンキー表示１６ａが表示されている。テンキー表示１６ａは、電話番号を含む数字の入力などの際に表示される。また、上部（表示用パネル１５に近い部分。）左には「キーＡ」なる第１のソフトキー表示１６ｂが、上部中央には「キーＢ」なる第２のソフトキー表示１６ｃが、上部右には「キーＣ」なる第３のソフトキー表示１６ｄが表示されている。更に、移動通信装置の電源の投入及び切断などの動作指示などを入力するために用いられる機能の表示が行われる（図示せず）。
【００２５】
ここで、第１の機能表示１５ｂと第１のソフトキー表示１６ｂと、第２の機能表示１５ｃと第２のソフトキー表示１６ｃと、更に、第３の機能表示１５ｄと第３のソフトキー表示１６ｄとは対応しており、第ｊのソフトキー表示１６ｊが表示されている部分が接触された場合、対応する第ｊの機能表示１５ｊによって識別される機能が第ｉのアプリケーション部２ｉによって実行されることを示す。ここで、ｊは、１以上かつ３以下の整数である（１≦ｊ≦３。）。
【００２６】
図３は、動作中の第ｉのアプリケーション部２ｉは音楽プレイヤであり、その音楽プレイヤによって、表示用パネル１５、及び、操作用パネル１６に表示動作がされ、これらのパネルのバックライトが点灯されている際の表示例である。
【００２７】
この例では、表示用パネル１５には、再生中の曲の名称、演奏者名、全再生時間及び再生済みの時間、音量バーによる音量からなる音楽プレイヤ動作状況表示１５ｅが表示されている。また、操作用パネル１６には、音楽プレイヤへの操作指示を図形で表した、音楽プレイヤ操作指示表示１６ｅが表示されている。この例に示すように、第ｊの機能表示１５ｊ（１≦ｊ≦３。）及び第ｊのソフトキー表示１６ｊ（１≦ｊ≦３。）の対応は、表示されなくとも良く、また、任意の個数が表示されても良い。
【００２８】
この音楽プレイヤ操作指示表示１６ｅは、図２に示す例で、「１」、「３」、「４」、「５」、「６」、「８」、及び「９」が表示されている位置に表示された７つの図形からなり、それぞれ、長方形と左向き三角形によって再生中の曲の先頭に戻ることを、右向き三角形と長方形によって次の曲の再生を、２つの左向き三角形によって早戻しを、右向き三角形によって再生を、２つの右向き三角形によって早送りを、２つの長方形によって一時停止を、正方形によって動作停止を示している。
【００２９】
上記のように構成された、本発明の実施形態に係る移動通信装置の消費電力削減機能１１−１による、表示用パネル１５によって消費される電力、及び、操作用パネル１６によって消費される電力を削減する制御動作を説明する。
【００３０】
図４は、この電力を削減する制御動作のフローチャートを示す。消費電力削減機能１１−１は、第ｉのアプリケーション部２ｉが動作を開始した際（この際、表示用パネル１５及び操作用パネル１６に表示がされている。）にこの制御動作を開始する（ステップＳ１０１）。なお、第ｉのアプリケーション部２ｉが動作を開始した際とは、装置が待ち受け状態になった際を含むので、この制御動作は、装置に電源が投入され、待ち受け状態になった際に開始され、以後説明するように、電源切断まで終了することはない。
【００３１】
そして、消費電力削減機能１１−１は、第１の所定時間に渡って、イベントが発生しないことにより、タイムアウトが発生したか否かを判断する（ステップＳ１０２）。ここで、イベントには、接触による操作用パネル１６への操作、着信信号の受信、アラームの発生などが含まれる。
【００３２】
タイムアウトが発生しない、即ち、イベントが発生した場合、消費電力削減機能１１−１は、ステップＳ１０１のタイムアウトが発生したか否かの判断動作を繰り返す。一方、タイムアウトが発生した場合、表示用パネル１５及び操作用パネル１６の中の一方による表示を行い、他方のバックライトを消灯する（ステップＳ１０３）。ここで、表示を行うパネルは、事前に使用者によって設定されたパネルである。
【００３３】
ステップＳ１０１で、表示用パネル１５及び操作用パネル１６には、図２に示す表示がされていた場合、ステップＳ１０３の動作によって一方のパネルにされる表示を説明する。まず、図５は、表示用パネル１５のバックライトが消灯されて、何も視認可能に表示されていず、操作用パネル１６に表示がされている一例を示す。操作用パネル１６には、図２に示す操作用パネル１６に表示されていた内容と、表示用パネル１５に表示されていた内容とが合成された内容が表示されている。
【００３４】
ここで、合成された内容とは、操作用パネル１６に表示されていた内容に、表示用パネル１５に表示されていた主画像表示１５ａが変形された、変形主画像表示１５ｆを加えた内容である。なお、変形されたことを、変形主画像表示１５ｆにハッチングを施すことによって示す。
【００３５】
なお、表示用パネル１５に表示されていた内容の内、第ｊの機能表示１５ｊ（１≦ｊ≦３。）は、表示されない。なぜなら、これらの機能表示の１つが表示された位置を触れることにより、その機能が動作するとの誤解を使用者に与えないためである。
【００３６】
次に、図６は、操作用パネル１６のバックライトが消灯されて、何も視認可能に表示されていず、表示用パネル１５に表示がされている一例を示す。表示用パネル１５には、図２に示す表示用パネル１５に表示されていた内容と、操作用パネル１６に表示されていた内容とが合成された内容が表示されている。
【００３７】
ここで、合成された内容とは、表示用パネル１５に表示されていた内容に、操作用パネル１６に表示されていたテンキー表示１６ａが変形された変形テンキー表示１６ｆを加えた内容である。なお、変形されたことを、変形テンキー表示１６ｆに含まれる各文字にハッチングを施すことによって示す。
【００３８】
なお、操作用パネル１６に表示されていた第ｊのソフトキー表示１６ｊ（１≦ｊ≦３。）は、表示されない。なぜなら、これらのソフトキー表示の１つが表示された位置を触れたとしても、その位置は、操作用パネル１６の一部ではなく表示用パネル１５の一部であるから、装置は、何ら動作を行わない。そこで、その位置を触れる意識を使用者に与えないためである。このステップＳ１０３の表示用パネル１５及び操作用パネル１６の中の一方にされる内容を作成する動作の詳細は、後述する。
【００３９】
操作用パネル１６による表示の別の例を説明する。この例では、（１）図５を参照して説明した表示、（２）図２を参照して説明した操作用パネル１６の表示（表示用パネル１５には、何も表示されない。）、（３）操作用パネル１６に、図２を参照して説明した、変形されない主画像表示１５ａの表示（第ｊの機能表示１５ｊ（１≦ｊ≦３。）は、表示されない。また、表示用パネル１５には、何も表示されない。）、の３つの表示が所定の時間間隔で切り替えられる表示である。
【００４０】
切り替えの順序の一例は、（１）の表示、（２）の表示、（１）の表示、（３）の表示、を繰り返す。この順序によれば、（１）の、表示用パネル１５に表示される内容及び操作用パネル１６に表示される内容を一覧可能な表示を主に、表示用パネル１５に表示される内容の詳細な表示と、操作用パネル１６に表示される内容の詳細な表示とを行うことができる。表示用パネル１５による表示の別の例も、全く同様に可能である。
【００４１】
図４を参照した、消費電力削減機能１１−１による、消費される電力を削減する制御動作の説明に戻る。消費電力削減機能１１−１は、続いて、第２の所定時間に渡って、イベントが発生しないことにより、タイムアウトが発生したか否かを判断する（ステップＳ１０４）。ここで、第２の所定時間は、ステップＳ１０２の動作で説明した第１の所定時間と同じでも良く、異なっても良い。
【００４２】
タイムアウトが発生した場合、消費電力削減機能１１−１は、表示用パネル１５のバックライト及び操作用パネル１６のバックライトを消灯させ、これらのパネルには何も視認可能に表示されない状態とする（ステップＳ１０５）。続いて、イベントが発生したか否かを判断する（ステップＳ１０６）。イベントが発生しない場合、ステップＳ１０６のイベントが発生したか否かの判断を繰り返す。
【００４３】
一方、イベントが発生した場合、及び、ステップＳ１０４でタイムアウトが発生しない、即ち、イベントが発生した場合、消費電力削減機能１１−１は、ステップＳ１０１の制御動作開始の際と同じように、表示用パネル１５及び操作用パネル１６に表示をさせて（ステップＳ１０７）、ステップＳ１０２のタイムアウトが発生したか否かの判断に移る。
【００４４】
ステップＳ１０３の表示用パネル１５及び操作用パネル１６の中の一方にされる表示内容を作成する動作の詳細を説明する。図７は、この一方にされる表示内容を作成する動作の詳細なフローチャートである。消費電力削減機能１１−１は、この動作を開始し（ステップＳ２０１）、バックライトを消灯するパネルは、表示用パネル１５及び操作用パネル１６のいずれであるかを、装置の使用者による設定に従って判断する（ステップＳ２０２）。
【００４５】
そして、バックライトを消灯するパネルが表示用パネル１５である場合、消費電力削減機能１１−１は、表示用パネル１５に表示されている内容及び操作用パネル１６に表示されている内容をフレームメモリから読み出して、一時記憶領域に記憶させる（ステップＳ２０３）。ここで、フレームメモリには、画像として記憶されており、以後、内容に代えて、画像と称する。この際、表示用パネル１５に表示されている画像の内、第ｊの機能表示１５ｊ（１≦ｊ≦３。）は、記憶させない。
【００４６】
消費電力削減機能１１−１は、一時記憶領域で、操作用パネル１６に表示されている画像に、表示用パネル１５に表示されている画像を変形して重ね合わせ（ステップＳ２０４）、重ね合わされた画像を操作用パネル１６用のフレームメモリに出力して（ステップＳ２０５）、表示画像を作成する動作を終了する（ステップＳ２０６）。
【００４７】
ここで、変形とは、色を薄くすること、色を変化させること、などの処理又はそれらの処理の組合せであって、バックライトが消灯されないパネルに表示されていた画像が引き続き見易く、かつ、変形された画像が認識可能とするための処理である。なお、変形して重ね合わせることに代えて、２つの画像をアルファブレンドしても良い。
【００４８】
一方、ステップＳ２０２で、バックライトを消灯するパネルが操作用パネル１６である場合、消費電力削減機能１１−１は、操作用パネル１６に表示されている内容及び表示用パネル１５に表示されている内容をフレームメモリから読み出して、一時記憶領域に記憶させる（ステップＳ２０７）。この際、操作用パネル１６に表示されている画像の内、第ｊのソフトキー表示１６ｊ（１≦ｊ≦３。）は、記憶させない。
【００４９】
消費電力削減機能１１−１は、一時記憶領域で、表示用パネル１５に表示されている画像に、操作用パネル１６に表示されている画像を変形して重ね合わせ（ステップＳ２０８）、重ね合わされた画像を表示用パネル１５用のフレームメモリに出力して（ステップＳ２０９）、表示画像を作成する動作を終了する（ステップＳ２０６）。
【００５０】
以上説明した消費電力削減機能１１−１の消費電力削減の制御動作により、装置の表示の状態が如何に遷移するかを、図８に示す状態遷移図を参照して説明する。装置は、電源が投入された際には（ステップＳ１０１に対応する。）、２パネル表示状態にある。この状態で、タイムアウトが発生すると、１パネル表示状態に遷移する（ステップＳ１０３に対応する。）。
【００５１】
１パネル表示状態でイベントが発生すると（ステップＳ１０４の「ＮＯ」に対応する。）、２パネル表示状態に遷移する（ステップＳ１０７に対応する。）。一方、タイムアウトが発生すると（ステップＳ１０４の「ＹＥＳ」に対応する。）、両パネル消灯状態に遷移する（ステップＳ１０５に対応する。）。両パネル消灯状態でイベントが発生すると（ステップＳ１０６の「ＹＥＳ」に対応する。）、２パネル表示状態に遷移する（ステップＳ１０７に対応する。）。
【００５２】
（第１の実施形態の変形例）
以上の説明で、表示用パネル１５と、操作用パネル１６とは、別個のＬＣＤであるとしたが、これに限るものではない。１つのＬＣＤであり、そのＬＣＤの表示画面を略等分し、それぞれの部分毎にバックライトの点灯、消灯の制御が可能とする。そして、一方の部分にはタッチパッドが組み合わされて、操作用パネル１６となり、他方にはタッチパッドが組み合わされずに表示用パネル１５となる構成としても良い。
【００５３】
（第２の実施形態）
本発明の第２の実施形態に係わる情報処理装置が適用された移動通信装置は、第１の実施形態に係わる情報処理装置が適用された移動通信装置と類似している。そこで、同じ部分には同じ符号を付して説明を省略する。
【００５４】
図９は、第２の実施形態に係わる移動通信装置の構成を示すブロック図である。この移動通信装置は、第１の実施形態に係わる移動通信装置と比較して、操作用パネル１６に代えて、操作用ボタン型パネル１６−２を備えている。
【００５５】
操作用ボタン型パネル１６−２は、例えば、１５個のボタン型の、即ち、操作用パネル１６より小さいタッチパネルからなり、それぞれのボタン型パネルは、バックライト付きのＬＣＤに静電容量方式のタッチパッドを組み合わせた構成である。そして、指又はスタイラスペンがボタン型パネルに接触することを検出して操作指示を入力する。また、接触に限ることはなく、指又はスタイラスペンと、ボタン型パネルとの間の距離が所定の閾値以下となったことを検出して操作指示を入力しても良い。
【００５６】
第２の実施形態に係わる移動通信装置の正面の外観を示す図１０を参照して、操作用ボタン型パネル１６−２の１５個のボタン型パネルの大きさと、それぞれのパネルの配置とを説明する。操作用ボタン型パネル１６−２は、操作用パネル１６が設置されていた位置、即ち、装置正面の略下半分に設置され、１５個のボタン型パネルは、図２に示す操作用パネル１６の表示の一例で、第ｊのソフトキー表示１６ｊ（１≦ｊ≦３。）、テンキー表示１６ａに含まれる「１」〜「９」、「０」、「＊」及び「＃」の１２個の文字のそれぞれが表示される大きさであり、第ｊのソフトキー表示１６ｊ（１≦ｊ≦３。）と、上記１２個の文字が表示されていた位置に設置される。
【００５７】
そこで、図２を参照して説明した、第１の実施形態における操作用パネル１６の表示は、第２の実施形態においては、図１０に示すように、第ｊのソフトキー表示１６ｊ（１≦ｊ≦３。）、テンキー表示１６ａに含まれる「１」〜「９」、「０」、「＊」及び「＃」の１２個の文字がそれぞれ異なるボタン型パネルに表示されるものの、第１の実施形態における表示と類似している。操作用ボタン型パネル１６−２は、第１の実施形態における操作用パネル１６と同様の機能を有することが明らかである。
【００５８】
操作用ボタン型パネル１６−２の動作を説明する。操作用ボタン型パネル１６−２は、制御部１１より起動されることにより、制御部１１、又は、第ｉのアプリケーション部２ｉの要求に基づいて所定の内容をボタン型パネルに表示する。そして、指又はスタイラスペンがボタン型パネルのいずれかに接触したことを検出した場合、その接触されたボタン型パネルを識別する情報を制御部１１へ通知する。操作用ボタン型パネル１６−２は、各ボタン型パネルに分散して設置されたバックライトが消灯されている場合、たとえ、表示動作をしていたとしても、何ら視認可能な表示は行われない。
【００５９】
消費電力削減機能１１−１が表示用パネル１５によって消費される電力、及び、操作用ボタン型パネル１６−２によって消費される電力を削減する制御動作は、第１の実施形態における表示用パネル１５によって消費される電力、及び、操作用パネル１６によって消費される電力を削減する制御動作と同じである。
【００６０】
ただし、第１の実施形態における操作用パネル１６に表示させる動作は、操作用ボタン型パネル１６−２が設置されている部分に対応する内容のみを表示させる動作と読み替える。その他の部分に対応する内容は、どこにも表示はされない。そのため、表示される内容にわずかの相違があるのみである。その相違を説明する。
【００６１】
図１１は、表示用パネル１５のバックライトが消灯されて、何も視認可能に表示されていず、操作用ボタン型パネル１６−２に表示がされている一例を示し、図５を参照して説明した、第１の実施形態における表示用パネル１５のバックライトが消灯され、操作用パネル１６に表示がされている一例に対応する。
【００６２】
操作用ボタン型パネル１６−２には、図１０に示す表示がされた上に、更に、図１０では、表示用パネル１５に表示されていた主画像表示１５ａが変形された、変形主画像表示１５ｆの中で、１５個のボタン型パネル内の内容が表示されている。なお、変形されたことを、変形主画像表示１５ｆにハッチングを施すことによって示す。
【００６３】
図１２は、操作用ボタン型パネル１６−２のバックライトが消灯され、何も視認可能に表示されていず、表示用パネル１５に表示がされた一例を示し、図６を参照して説明した、第１の実施形態における操作用パネル１６のバックライトが消灯され、表示用パネル１５に表示がされた一例に対応する。
【００６４】
図１２に示す表示用パネル１５の表示と、図６に示す表示用パネル１５の表示との相違はない。操作用ボタン型パネル１６−２は、複数のボタン型パネルからなることが図示されていることが相違するのみである。
【００６５】
このように、操作用パネル１６に代えて、操作用ボタン型パネル１６−２を用いることにより、操作用ボタン型パネル１６−２への表示にいくらかの不自然さが生じることは避けられないものの、大きいタッチパッドは不要であり、かつ、いずれのボタン型パッドに接触されたかのみが検出されれば良い。そこで、装置の複雑な構成を避けることができる。
【００６６】
（その他の実施形態）
以上の説明で、表示用パネル１５、操作用パネル１６、及び操作用ボタン型パネル１６−２は、ＬＣＤにより表示をし、消費電力削減のために、バックライトを消灯するとしたが、本発明は、表示機能の如何を問わず実施可能である。例えば、有機ＥＬ、プラズマディスプレー、ＣＲＴなどのバックライトを有しない機構により表示をし、消費電力削減のために、表示を行わないとしても良い。
【００６７】
以上の説明は、本発明をバータイプの移動通信装置に適用した例を用いて行ったが、折り畳み型の移動通信装置にも、折り畳みを開いた際、表示用パネル１５と、操作用パネル１６又は操作用ボタン型パネル１６−２とが説明したような位置に設置されている限り、全く同様に適用可能である。
【００６８】
更に、本発明は、当然に移動通信装置以外の情報処理装置、例えば、携帯型のパソコン、ＰＤＡ、携帯型の音楽再生装置などの適用することが可能である。なお、装置が携帯型であるか否か、また、装置が電池に蓄えられた電力で動作するか否かは、本発明の適用には何ら影響はない。
【００６９】
以上説明した第１の実施形態と、第２の実施形態とは、適宜組み合わせることが可能である。本発明は以上の構成に限定されるものではなく、種々の変形が可能である。
【符号の説明】
【００７０】
１１  制御部
１１−１  消費電力削減機能
１５  表示用パネル
１５ａ  主画像表示
１５ｊ  第ｊの機能表示
１５ｅ  音楽プレイヤ動作状況表示
１５ｆ  変形主画像表示
１６  操作用パネル
１６ａ  テンキー表示
１６ｊ  第ｊのソフトキー表示
１６ｅ  音楽プレイヤ操作指示表示
１６ｆ  変形テンキー表示
１６−２  操作用ボタン型パネル
２ｉ  第ｉのアプリケーション部
【図１】
2010198065.tif 000003
【図２】
2010198065.tif 000004
【図３】
2010198065.tif 000005
【図４】
2010198065.tif 000006
【図５】
2010198065.tif 000007
【図６】
2010198065.tif 000008
【図７】
2010198065.tif 000009
【図８】
2010198065.tif 000010
【図９】
2010198065.tif 000011
【図１０】
2010198065.tif 000012
【図１１】
2010198065.tif 000013
【図１２】
2010198065.tif 000014